(57)【要約】【課題】入浴の都度、入浴者の所望に応じて、所要量の浴用剤を溶出させるようにした浴用剤容器、とくに芳香を発生させ、アロマテラピー効果を得られるようにした浴用剤容器を提供すること。【解決手段】容器本体と、該容器本体に装着したおもり収納体、上部に浴用剤収納部を設けた蓋体、および蓋体の上部を覆うオーバーキャップとからなる浴用剤容器であって、容器本体は、口部と液体を収納する胴部とを具備しており、蓋体は、浴用剤収納部の上部に液体を注ぐ溢れ口を上端に有し、容器本体の底板近くに下垂するパイプと、浴用剤の流出孔、および容器本体の口部に取着される取着筒とを具備しており、流出孔が、常に液面より上にあるよう浮遊させるようにしたことを特徴とする。【選択図】        図２
2004351112.tif 000002
【特許請求の範囲】
【請求項１】
容器本体と、該容器本体に装着したおもり収納体、上部に浴用剤収納部を設けた蓋体、および蓋体の上部を覆うオーバーキャップとからなる浴用剤容器であって、
容器本体は、口部と液体を収納する胴部とを具備しており、
蓋体は、浴用剤収納部の上部に液体を注ぐ溢れ口を上端に有し、容器本体の底板近くに下垂するパイプと、浴用剤の流出孔、および容器本体の口部に取着される取着筒とを具備しており、
流出孔が、常に液面より上にあるよう浮遊させるようにしたことを特徴とする浴用剤容器。
【発明の詳細な説明】
【０００１】
【発明の属する技術分野】
本発明は、浴用剤容器、とくに液面上に浮遊し、所望に応じて浴用剤を溶かし出し、浴槽内に流し込むようにした浴用剤容器に関する。
【０００２】
【従来の技術】
浴用剤として、芳香剤、温泉湯成分、薬用成分、化粧用成分、活性炭等を浴槽内に入れることは従来より一般に実施されており、浴用剤を湯面に浮遊する浴用剤容器内に収納し、浴槽内に浴用剤を溶出するようにした浴用剤容器も従来より知られている（例えば、特許文献１、特許文献２参照。）。
【０００３】
【特許文献１】
実公昭６１−３２９７４号公報
【特許文献２】
実公平６−４０８号公報
【０００４】
【発明が解決しようとする課題】
しかしながら、上記特許文献１記載の浴用剤容器は、入浴の都度、収納した浴用剤を徐々に溶解滲出させるものであり、入浴時に、容器内の浴用剤を全部溶出させるものである。
そのため、数名の人が時間をおいて入浴する場合には、後で入浴する人は、新しい浴用剤を使用しなければならないという問題があった。
【０００５】
また、特許文献２記載の浴用剤容器も、浴槽内に浴用剤を徐々に溶出させるものであるが、浴用剤の有効時間は、続けて数名の人が入浴できる程度の時間であり、有効時間が長くないという問題があった。
【０００６】
本発明は、上記の問題を考慮して、入浴の都度、入浴者の所望に応じて、所要量の浴用剤を溶出させるようにした浴用剤容器、とくに芳香を発生させ、アロマテラピー効果を得られるようにした浴用剤容器を提供することを目的とする。
【０００７】
【課題を解決するための手段】
本発明は、上記の課題を解決するため、浴用剤容器として、容器本体と、該容器本体に装着したおもり収納体、上部に浴用剤収納部を設けた蓋体、および蓋体の上部を覆うオーバーキャップとからなる浴用剤容器であって、容器本体は、口部と液体を収納する胴部とを具備しており、蓋体は、浴用剤収納部の上部に液体を注ぐ溢れ口を上端に有し、容器本体の底板近くに下垂するパイプと、浴用剤の流出孔、および容器本体の口部に取着される取着筒とを具備しており、流出孔が、常に液面より上にあるよう浮遊させるようにしたことを特徴とする構成を採用する。
【０００８】
【発明の実施の形態】
次に、本発明浴用剤容器の実施形態について、図面を参照して説明する。
図１，２に示すように、本発明の浴用剤容器は、容器本体１と容器本体１に取着したおもり収納体２、および蓋体３とオーバーキャップ４とから構成されている。
【０００９】
容器本体１は、口部５と肩部６、大径の胴部７と底部８とからなり、透明、または半透明の樹脂から形成されている。
口部５には、ねじ９が螺設されており、胴部７には、収容する液の目印として水位線１０が設けられている。
また、液面が口部５の上からよく見えるときは、容器本体１は、不透明であってもよく、水位線を設けなくてもよい。
底部８は、膨出部１１を有する底部周壁１２と底板１３とからなっている。
【００１０】
おもり収納体２は、側周壁１４と底壁１５とからなり、側周壁１４の上方内周には、容器本体１の膨出部１１の上部に係合する膨出部１６が設けられている。
底壁１５には、支持リング１７が立設されており、収納したおもりａが妄動しないようにしている。
【００１１】
蓋体３は、取着筒１８と、その上方に延びる支持筒１９、上壁２０、および取着筒１８の上端から、容器本体１の肩部６を覆う傘状のカバー２１とを具えている。
【００１２】
取着筒１８の内周には、口部５のねじ９に螺合するねじ２２が螺設されており、ねじ２２の上方には、パッキン２３が支持されている。
支持筒１９には、複数個の流出孔２４が穿設され、外周には、膨出部２５が設けられている。
支持筒１９と上壁２０によって浴用剤ｂの収納部が形成されており、上壁２０の中心部には、上下に延びるパイプ２６が連設されている。
パイプ２６の上端は、浴用剤ｂの上方に位置して水の溢れ口２７となっており、その下端は、容器本体１の底板１３近くに位置するようにしている。
【００１３】
オーバーキャップ４は、ドーム状の頂壁２８と蓋体３の支持筒１９に係合する嵌合部２９とからなっており、嵌合部２９の下端部には、支持筒１９の膨出部２５の下側に係合する膨出部３０が設けられている。
【００１４】
おもりａは、容器本体１内に封入した空気とつり合い、蓋体３のカバー２１の大部分が液面より上になるような重さとなっている。
【００１５】
次に、本発明浴用剤容器の使用態様と作用効果について説明する。
浴用剤容器の使用にあたっては、おもりａを入れたおもり収納体２を底部８に取着した容器本体１の水位線１０まで水を入れ、次いで、パッキン２３を挟んで取着筒１８を、容器本体１の口部５に螺着し、蓋体３を容器本体１に取着する。
次いで、浴用剤ｂを蓋体３の収納部に入れ、オーバーキャップ４を閉じる。
また、先に浴用剤ｂを収納部に収納し、オーバーキャップ４を閉じた蓋体３を容器本体１に取着するようにしてもよい。
【００１６】
入浴時には、浴用剤容器を湯に浮かせておくと、図２に示すように、容器本体１内の空気が温められ、容器内の圧力が高まり、パイプ２６を通して水が上昇し、パイプ２６の上端の溢れ口２７から水が流れだし、浴用剤ｂに振りかけられ、溶けた浴用剤ｂが流出孔２４を通じて湯の中に流れ込んでいくことになる。
【００１７】
浴用剤容器の空気は、その温度が湯の温度と一致するまで膨張を続け、容器の膨張量に対応する水をパイプの溢れ口２７より送り出すので、所要量の浴用剤ｂを溶かし出し、浴槽内に入れることができる。
【００１８】
また、容器本体１に入れる水量を水位線１０より下げ、空気量を多くしておくと、膨張する空気が多くなり、送り出す水量を多くすることができ、浴用剤ｂの溶け出し量を調節することができる。
【００１９】
浴用剤としては、芳香剤、温泉湯成分、薬用成分、化粧用成分などを含有した水溶性の固形物が用いられる。
とくに、芳香剤、香油等を混入した浴用剤を用いるときには、溶け出した浴用剤が湯に入るまでの間にも芳香が発生し、より効果的にアロマテラピー効果を奏することができる。
【００２０】
入浴時毎に所要量の浴用剤を使用することができ、誰も入浴していなくて入浴剤の使用が不必要なときには、浴用剤の無駄な流出を避けることができる。
浴用剤ｂがなくなったときには、オーバーキャップ４を外して簡単に取替えることができ、使用が簡単で、浴用剤を無駄なく有効に使用することができる。
また、オーバーキャップ４や、蓋体３に動物や魚類の形象、キャラクターを付しておくと、子どもも喜んで入浴することができる。
【００２１】
【発明の効果】
本発明は、上記のように構成されているから、次の効果を奏する。
容器本体に、所要量の空気を入れ、該空気を湯温に応じて膨張させることによって、膨張量に対応する水をパイプを通じて上昇させ、パイプ上端の溢れ口から流出させ、所要量の浴用剤を溶かし出すことができる。
【図面の簡単な説明】
【図１】本発明浴用剤容器の分解説明図である。
【図２】浴用剤容器の使用時の状態を示す一部断面立面図である。
【符号の説明】
ａ    おもり
ｂ    浴用剤
１    容器本体
２    おもり収納体
３    蓋体
４    オーバーキャップ
５    口部
６    肩部
７    胴部
８    底部
１０  水位線
１１  膨出部
１２  底部周壁
１３  底板
１４  側周壁
１５  底壁
１８  取着筒
１９  支持筒
２０  上壁
２１  カバー
２４  流出孔
２６  パイプ
２７  溢れ口
２８  頂壁
２９  嵌合部
【図１】
2004351112.tif 000003
【図２】
2004351112.tif 000004